(57)【要約】【課題】  編集した画像データを保存し直すことなく、編集された画像データを表示手段に表示させることができ、編集された画像データを異なる場所でも容易に再生することができる出力装置を提供すること。【解決手段】  前記リモート操作装置１５は、前記編集の履歴情報を前記表示対象記録媒体固有の識別情報に対応付けて保存する編集履歴情報保存手段と、前記表示対象記憶媒体に記録されている画像データの表示時に前期編集履歴情報保存手段から編集履歴履歴情報を読み出す読み出し手段と、当該読み出した履歴情報を前記本体装置２に送信する送信手段と、を有し、前記本体装置の制御手段は、前記表示対象記録媒体に記録されている画像データの表示出力に際し、前記送信された編集履歴情報に基づいて画像データを前記表示手段に表示させることを特徴とする。【選択図】図３
2006048826.tif 000002
【特許請求の範囲】
【請求項１】
リモート操作装置と、
表示対象記録媒体に記録されている画像データを前記リモート操作装置から送信される編集命令信号に基づいて編集し、当該編集した画像データを表示手段に表示させる制御手段を有する本体装置と、を備えた出力装置において、
前記リモート操作装置は、
前記編集の履歴情報を前記表示対象記録媒体固有の識別情報に対応付けて保存する編集履歴情報保存手段と、
前記表示対象記憶媒体に記録されている画像データの表示時に前期編集履歴情報保存手段から編集履歴履歴情報を読み出す読み出し手段と、
当該読み出した履歴情報を前記本体装置に送信する送信手段と、を有し、
前記本体装置の制御手段は、
前記表示対象記録媒体に記録されている画像データの表示出力に際し、前記送信された編集履歴情報に基づいて画像データを前記表示手段に表示させることを特徴とする出力装置。
【請求項２】
請求項１に記載の出力装置において、
前記制御手段は、さらに前記記録媒体に記録された画像データをそのまま前記表示手段に表示させる第１の表示制御モードと、前記読み出された履歴情報に基づいて画像データを表示させる第２の表示制御モードとを、前記リモート操作装置から受信した編集命令信号に基づいて選択的に行うことを特徴とする出力装置。
【請求項３】
請求項１または請求項２に記載の出力装置において、
前記履歴情報保存手段は、さらに過去の編集内容のそれぞれを各編集時毎に当該編集に係る記録媒体固有の識別情報に対応付けて保存することを特徴とする出力装置。
【請求項４】
請求項１から請求項３のいずれか一項に記載の出力装置において、
前記編集履歴情報は、画像データの表示画面上のおける画像の回転を示す情報であることを特徴とする出力装置。
【請求項５】
請求項１から請求項４のいずれか一項に記載の出力装置において、
前記編集履歴情報は、画像データの表示画面上における色調整を示す情報であることを特徴とする出力装置。
【請求項６】
請求項１から請求項５のいずれか一項に記載の出力装置において、
前記編集履歴情報は、個々の画像データを表示画面上に表示したか否かを示す情報であることを特徴とする出力装置。
【請求項７】
請求項１から請求項６のいずれか一項に請求項の出力装置において、
前記編集記録情報は、画像データを表示画面上にスライド表示した場合の表示順序を示す情報であることを特徴とする出力装置。
【請求項８】
請求項１から請求項７のいずれか一項に記載の出力装置において、
前記編集履歴情報は、画像データを表示画面上にスライド表示した場合の表示開始時間及び／又は表示終了時の表示態様を示す情報であることを特徴とする出力装置。
【請求項９】
請求項１から請求項８のいずれか一項に記載の出力装置において、
前記編集履歴情報は、画像データを表示画面上に表示した場合に同時に再生した音楽情報を示す情報であることを特徴とする出力装置。
【請求項１０】
請求項１から請求項９のいずれか一項に記載の出力装置において、
前記編集履歴情報は、画像データを表示画面上にスライド表示した場合の拡大又は縮小を示す情報であることを特徴とする出力装置。
【発明の詳細な説明】
【技術分野】
【０００１】
本発明は、リモコン機能を有するＤＶＤプレイヤなどの出力装置に係り、特に記録媒体に記録された画像データ及び／又は音データを出力する出力装置に関する。
【背景技術】
【０００２】
近年、デジタルカメラの普及に伴い、デジタルカメラで撮影した画像データを取り扱う機会が増えてきている。撮影した画像データを再生する際に、画像データの鑑賞のみならず、画像データとともに表示画面上に再生される画像の内容に適した音楽や音声などの音データを編集して鑑賞したいと要望がある。このため、画像データと音データとを編集し、光化学的記録媒体などのコンパクトディスク（以下、ＣＤという）に記録し、再生する際に記録された画像データを出力装置に表示させ、音データをＢＧＭとして出力させる画像再生システムが提案されている（例えば、特開平６−３１１４８１号公報参照）。
また、デジタルデータについて停止、再生、スロー再生、未再生、倍速再生などの単純な操作をユーザがする際に、この操作を再生履歴として出力装置に記録し、再度操作する際に、この再生履歴に基づいてデジタルデータを再生することができるシステムが提案されている（例えば、特開２００２−３１４９１７号公報参照）。
【特許文献１】特開平６−３１１４８１号公報
【特許文献２】特開２００２−３１４９１７号公報
【発明の開示】
【発明が解決しようとする課題】
【０００３】
しかし、特に編集操作に不慣れなユーザや複雑な操作を嫌うユーザは、画像データの回転、音データの変更などの編集した画像データ及び音データをＣＤに保存せずに、不用意に編集の操作を終了してしまう場合がある。この場合は、再び同様の編集をしなおす必要がある。また、編集したデジタルデータ自体をＣＤに保存するので書き込み時間が長いという煩わしさがある。また、前回の編集したデジタルデータを記録媒体に記録しなかったものの、改めて確認したい場合にデータを一から再生しなければならないという不都合が生じる。
また、再生、編集などの操作をしたデジタルデータが出力装置に保存されている場合には、異なる出力装置で再生しようとした場合にその出力装置に保存し直すという煩わしさがある。さらに、ユーザ間同士が編集したデジタルデータをやり取りする場合に、送受信時に送信するデータ容量が大きすぎると受信に時間がかかるという煩わしさも生じる。
【０００４】
本発明の課題は、編集した画像データを保存し直すことなく、編集された画像データを表示手段に表示させることができ、編集された画像データを異なる場所でも容易に再生することができる出力装置を提供することである。
【課題を解決するための手段】
【０００５】
上記の課題を解決するため、請求項１に記載の発明は、  リモート操作装置と、
表示対象記録媒体に記録されている画像データを前記リモート操作装置から送信される編集命令信号に基づいて編集し、当該編集した画像データを表示手段に表示させる制御手段を有する本体装置と、を備えた出力装置において、
前記リモート操作装置は、前記編集の履歴情報を前記表示対象記録媒体固有の識別情報に対応付けて保存する編集履歴情報保存手段と、前記表示対象記憶媒体に記録されている画像データの表示時に前期編集履歴情報保存手段から編集履歴履歴情報を読み出す読み出し手段と、当該読み出した履歴情報を前記本体装置に送信する送信手段と、を有し、
前記本体装置の制御手段は、前記表示対象記録媒体に記録されている画像データの表示出力に際し、前記送信された編集履歴情報に基づいて画像データを前記表示手段に表示させることを特徴とする。
【０００６】
ここで、デジタルデータには、画像データ及び／又は音データを含む。画像データには、静止画の画像データ又は動画の画像データを含む。また、音データには、音楽データ及び／又は音声データなどを含む。音とは、音楽及び音声を含む意味である。
【０００７】
記録媒体とは、ＣＤ−Ｒ、ＣＤ−Ｒ／Ｗ、ＤＶＤ−Ｒ、ＤＶＤ−Ｒ／Ｗ、ＤＶＤ＋Ｒ／Ｗ、ＤＶＤ−ＲＡＭ、ブルーレイディスク、ＭＯディスク、ＰＣカード、ＳＤカード、メモリースティック、スマートメディア、コンパクトフラッシュ（登録商標）、xD−Ｐｉｃｔｕｒｅカード、ＨＤＤ及び不揮発性メモリなどをいう。
【０００８】
光化学的記録媒体とは、例えば、ＣＤ、ＣＤ−Ｒ、ＣＤ−Ｒ／Ｗ、ＤＶＤ−Ｒ、ＤＶＤ−Ｒ／Ｗ、ＤＶＤ＋Ｒ／Ｗ、ＤＶＤ−ＲＡＭ及びブルーレイディスクなどをいう。
【０００９】
不揮発性記録媒体とは、不揮発性メモリ、メモリカード、ＨＤＤ及びＭＯディスクをいう。メモリカードとは、例えば、ＰＣカード、ＳＤカード、メモリースティック、スマートメディア、コンパクトフラッシュ（登録商標）及びxD−Ｐｉｃｔｕｒｅカードなどをいう。
【００１０】
出力装置は、パーソナルコンピュータ（Personal Computer）、ＤＶＤレコーダ、ＨＤＤ（Hard Disk Drive）レコーダ、ホームサーバ、ｗｅｂサーバ、ゲーム機、ポータブルＣＤ−Ｒライター、ポータブルＨＤＤ、ＨＤＤナビゲーションシステムなどをいい、画像データを表示できる機器を備えるものを含む。
【００１１】
請求項２に記載の発明は、請求項１に記載の出力装置において、前記制御手段は、さらに前記記録媒体に記録された画像データをそのまま前記表示手段に表示させる第１の表示制御モードと、前記読み出された履歴情報に基づいて画像データを表示させる第２の表示制御モードとを、前記リモート操作装置から受信した編集命令信号に基づいて選択的に行うことを特徴とする。
【００１２】
請求項３に記載の発明は、請求項１または請求項２に記載の出力装置において、前記履歴情報保存手段は、さらに過去の編集内容のそれぞれを各編集時毎に当該編集に係る記録媒体固有の識別情報に対応付けて保存することを特徴とする。
【００１３】
請求項４に記載の発明は、請求項１から請求項３のいずれか一項に記載の出力装置において、前記編集履歴情報は、画像データの表示画面上のおける画像の回転を示す情報であることを特徴とする。
【００１４】
請求項５に記載の発明は、請求項１から請求項４のいずれか一項に記載の出力装置において、前記編集履歴情報は、画像データの表示画面上における色調整を示す情報であることを特徴とする特徴とする。
【００１５】
請求項１から請求項５のいずれか一項に記載の出力装置において、
前記編集履歴情報は、個々の画像データを表示画面上に表示したか否かを示す情報であることを特徴とする。
【００１６】
請求項７に記載の発明は、請求項１から請求項６のいずれか一項に請求項の出力装置において、前記編集記録情報は、画像データを表示画面上にスライド表示した場合の表示順序を示す情報であることを特徴とする。
【００１７】
請求項８に記載の発明は、請求項１から請求項７のいずれか一項に記載の出力装置において、前記編集履歴情報は、画像データを表示画面上にスライド表示した場合の表示開始時間及び／又は表示終了時の表示態様を示す情報であることを特徴とする。
【００１８】
請求項９に記載の発明は、請求項１から請求項８のいずれか一項に記載の出力装置において、前記編集履歴情報は、画像データを表示画面上に表示した場合に同時に再生した音楽情報を示す情報であることを特徴とする。
【００１９】
請求項１０に記載の発明は、請求項１から請求項９のいずれか一項に記載の出力装置において、前記編集履歴情報は、画像データを表示画面上にスライド表示した場合の拡大又は縮小を示す情報であることを特徴とする。
コンピュータとは、バスで接続されたＣＰＵ（Central Processing Unit）、ＲＯＭ(Read Only Memory）、ＲＡＭ（Random Access Memory）及びＩ／Ｏを基本構成とする装置であって、マイクロコンピュータ、マイクロプロセッサなどを含む、その組み込み先装置のいかんを問わない。例えば、パソコン、ＤＶＤ（Digital Versatile Disk）レコーダ、ＨＤＤ（Hard Disk Drive）レコーダ、ホームサーバ、ｗｅｂサーバ、ゲーム機、ポータブルＣＤ−Ｒ（Compact Disk-Recordable）ライター、ＨＤＤナビゲーションシステムなどである。従って、本発明に係るプログラムは、上記コンピュータのＲＯＭに格納され、ＣＰＵの統括的制御下においてＲＡＭに展開され、実行に供されるものであるから、本発明のコンピュータプログラムの技術的範囲は、当該プログラムが搭載されたコンピュータが搭載されたコンピュータの格納先の装置に及ぶものである。
【発明の効果】
【００２０】
請求項１に記載の発明によれば、編集の履歴情報がリモート操作装置に設けられた編集履歴情報保存手段に保存されるので、その記録媒体の表示に際して編集履歴情報が自動的に読み出され、過去の編集状態で画像を表示することができる。従って、表示の際に、その都度新たに編集する手間を省くことができ、ユーザにとって好適な鑑賞環境を自動的に作ることが可能となるという効果を奏する。また、編集履歴情報をリモート操作装置側に保存しておくことができるので、異なる本体装置で記録媒体の再生を行う場合に編集履歴情報をその本体装置に記録させる必要がないという効果を奏する。
【００２１】
請求項２に記載の発明は、編集の履歴情報が履歴情報保存手段に保存しているリモート操作装置の操作によりＣＤの画像データをそのままにするか、履歴情報に基づいて画像データを表示させるかを選択することができるので、円滑に編集作業を続けて行うことができるという効果を奏する。
【００２２】
請求項３に記載の発明は、各編集時毎に履歴情報を保存するため、表示の際に、その都度新たに編集する手間を省くことができ、ユーザにとって好適な鑑賞環境を自動的に作ることが可能となるという効果を奏する。
【００２３】
請求項４に記載の発明は、前記履歴情報を各々設定することによって、各々設定された履歴情報に基づいて画像データを前記表示手段に表示させることができるので、表示の際に、その都度新たに編集する手間を省くことができ、ユーザにとって好適な鑑賞環境を自動的に作ることが可能となるという効果を奏する。
【００２４】
請求項５に記載の発明は、前記履歴情報を各々設定することによって、各々設定された履歴情報に基づいて画像データを前記表示手段に表示させることができるので、表示の際に、その都度新たに編集する手間を省くことができ、ユーザにとって好適な鑑賞環境を自動的に作ることが可能となるという効果を奏する。
【００２５】
請求項６に記載の発明は、前記履歴情報を各々設定することによって、各々設定された履歴情報に基づいて画像データを前記表示手段に表示させることができるので、表示の際に、その都度新たに編集する手間を省くことができ、ユーザにとって好適な鑑賞環境を自動的に作ることが可能となるという効果を奏する。
【００２６】
請求項７に記載の発明は、前記履歴情報を各々設定することによって、各々設定された履歴情報に基づいて画像データを前記表示手段に表示させることができるので、表示の際に、その都度新たに編集する手間を省くことができ、ユーザにとって好適な鑑賞環境を自動的に作ることが可能となるという効果を奏する。
【００２７】
請求項８に記載の発明は、前記履歴情報を各々設定することによって、各々設定された履歴情報に基づいて画像データを前記表示手段に表示させることができるので、表示の際に、その都度新たに編集する手間を省くことができ、ユーザにとって好適な鑑賞環境を自動的に作ることが可能となるという効果を奏する。
【００２８】
請求項９に記載の発明は、前記履歴情報を各々設定することによって、各々設定された履歴情報に基づいて画像データを前記表示手段に表示させることができるので、表示の際に、その都度新たに編集する手間を省くことができ、ユーザにとって好適な鑑賞環境を自動的に作ることが可能となるという効果を奏する。
【００２９】
請求項１０に記載の発明は、前記履歴情報を各々設定することによって、各々設定された履歴情報に基づいて画像データを前記表示手段に表示させることができるので、表示の際に、その都度新たに編集する手間を省くことができ、ユーザにとって好適な鑑賞環境を自動的に作ることが可能となるという効果を奏する。
【発明を実施するための最良の形態】
【００３０】
〈第一の実施形態〉
以下、図１から図７を参照して本発明の実施形態を詳細に説明する。ただし、図示例に限定されるものではない。
【００３１】
ここで、出力装置１の例を図１に示す。出力装置１は、記録媒体に記録された画像データを画像音響装置３０における表示手段に表示する。
図１に示すように、出力装置１は、本体装置１０とリモート操作装置１５とを備えている。操作部４として、リモート操作装置１５と本体装置１０の機器接続部１６とが接続して構成する。
本体装置１０は、ＣＤ２７を差し込むディスクドライブ７と、不揮発性記録媒体であるメモリカード２８などを差し込むメディア装填部６と、本体装置１０に内蔵される記憶部３の不揮発性記録媒体であるＨＤＤ２９と、リモート操作装置１５と接続する機器接続部１６とから構成する操作部４と、通信ネットワーク２４を介してホームサーバ２５または／及びｗｅｂサーバ２６に接続するネットワーク接続部９とを備える。
例えば、出力装置１は、パーソナルコンピュータ（Personal Computer）、ＤＶＤレコーダ、ＨＤＤ（Hard Disk Drive）レコーダ、ホームサーバ、ｗｅｂサーバ、ゲーム機、ポータブルＣＤ−Ｒライター、ポータブルＨＤＤ、ＨＤＤナビゲーションシステムなどが挙げられる。
【００３２】
画像音響装置３０は、出力装置１の画像データ及び音データを出力するデジタルデータ出力部５に接続する。この画像音響装置３０は、画像データを表示するディスプレイ３１及び音データを出力するスピーカー３２を備える。
ディスプレイ３１は、ＬＣＤ、ＣＲＴ（Cathode Ray Tube）、有機ＥＬ、プラズマディスプレイなどにより構成される。このディスプレイ３１は、出力装置１のデジタルデータ出力部５の画像データ処理部から入力される画像データに基づいて画像表示を行い、再生する。スピーカー３２は、デジタルデータ出力部５の音データ処理部であるＤ／Ａ変換器から入力されてアンプにより増幅された音データを出力する。また、出力装置１と画像音響装置３０とが一体化された装置でもよい。
【００３３】
図２に示すように、出力装置１は、制御部２、記憶部３、操作部４、デジタルデータ出力部５、メディア装填部６、ディスクドライブ７、デジタルデータ生成・再生部８、ネットワーク接続部９などを備えて構成され、各部はバス２０により接続されている。
【００３４】
制御部２は、出力装置１の各部を統括する。制御部２は、ＣＰＵ１１（Central Processing Unit）、ＲＯＭ１２（Read Only Memory）、ＲＡＭ１３（Random Access Memory）、不揮発性メモリ１４を備える。
ここで、ＣＤ２７に記録されている表示対象記録媒体固有の識別情報（以下、ディスクＩＤという）をディスクＩＤ１とし、ＣＤ２７から編集に係るＣＤのディスクＩＤに対応付けて不揮発性記録媒体に保存されたデジタルデータの表示に際に生成された編集の履歴情報を含むディスクＩＤをディスクＩＤ２とする。
【００３５】
ＣＰＵ１１は、操作部４から入力される各指示に従って、ＲＯＭ１２に記録されている各種プログラムの中から指定したプログラムをＲＡＭ１３のワークエリアに展開し、下記プログラムとの協働によって各種処理を実行し、その処理結果などをＲＡＭ１３の所定の領域に格納するとともに、デジタルデータ出力部５からデジタルデータが送信され、画像音響装置３０のディスプレイ３１に表示またはスピーカー３２に出力させる。
【００３６】
ＲＯＭ１２は、不揮発性の半導体メモリで構成される。ＲＯＭ１２は、ＣＰＵ１１により実行される装置用の各種プログラムなどを記憶する。
ＲＡＭ１３は、ＤＲＡＭなどの書き換え可能な半導体素子で構成される。ＲＡＭ１３は、データが一時的に保存される記録媒体であり、ＣＰＵ１１が実行するためのプログラムを展開するためのプログラムエリア、操作部４から入力されるデータやＣＰＵ１１による各種処理結果を保存するためのデータエリアなどを有している。
【００３７】
また、不揮発性メモリ１４は、フラッシュメモリ（Ｅ2ＰＲＯＭ）などの書き換え可能であって不揮発的にデータを記録できる半導体素子である。不揮発メモリ１４は、デジタルデータを編集した際の履歴情報が不揮発的に記憶されており、ＣＰＵ１１の制御に従って、デジタルデータを編集した際のディスク固有の識別情報で各ディスクに異なる情報（以下、ディスクＩＤという。）及びそのディスクＩＤに対応付けされている履歴情報を読み出され、ＣＰＵ１１に出力される。
【００３８】
記憶部３は、不揮発性記録媒体であるＨＤＤ２９を備えて構成され、各処理により生成されたデータを記憶し、例えば、デジタルデータを再生するためのデジタルデータ再生プログラムやディスクＩＤに対応する履歴情報をデジタルデータに生成するための履歴情報生成プログラムなどが記憶されている。このデジタルデータ再生プログラムには、静止画の画像データを表示したり、動画の画像データを再生したり、これらの画像データを連続して順次表示してスライドショーとして再生したり、このときにこれらの画像データに対応して音データを再生する機能が含まれる。
また、ＨＤＤ２９は、デジタルデータを編集した際のディスクＩＤ及びこのディスクＩＤに対応付けて生成された履歴情報を不揮発的に記憶されることができる。そして、ＣＰＵ１１の制御に従って、デジタルデータを編集した際のディスクＩＤ及び履歴情報を読み出され、ＣＰＵ１１に出力されることが可能である。また、この履歴情報生成プログラムには、履歴情報の階層構造に従ってデジタルデータから履歴情報及び履歴情報からデジタルデータに生成・再生する機能が含まれる。
【００３９】
デジタルデータ生成・再生部８は、履歴情報生成部Ｃ１、デジタルデータ再生部、送受信履歴情報保存部から構成されている。この履歴情報生成部Ｃ１に履歴情報生成Ｃ１プログラム、デジタルデータ再生部にデジタルデータ再生プログラム及び送受信履歴情報保存部に履歴情報保存プログラムを格納する。デジタルデータ生成・再生部８は、これらのプログラムを格納し、主としてＣＰＵ１１を含む制御部２と協働しながら、以下のようにＣＤ２７からのデジタルデータ及び編集したデジタルデータの再生を行うプログラムである履歴情報生成Ｃ１プログラム及びデジタルデータ再生プログラムと生成される履歴情報を連続的に保存するプログラムである履歴情報保存プログラムとを稼動させる。
【００４０】
履歴情報生成部Ｃ１は、編集された記録媒体の表示動作に際して、ディスクＩＤ１の読み出しを不揮発性メモリ１４などから行う。または、リモート操作装置１５のディスクＩＤ読み出しキーなどの操作キーによる送信によって、履歴情報生成部Ｃ１は、ディスクＩＤ１の読み出しを不揮発性メモリ１４などから行う。ディスクＩＤ１の読み出しを行った後、読み出しを行ったディスクＩＤ１を機器接続部１６からリモート操作装置１５に送信する。また、履歴情報生成部Ｃ１は、ＣＵＰ１１を備える制御部２と協働して下記の履歴情報に従ってデジタルデータから履歴情報及び履歴情報からデジタルデータに生成・再生する機能が含まれる。
デジタルデータ再生部は、ＣＵＰ１１を備える制御部２と協働してＣＤ２７から読み出されたデジタルデータまたは履歴情報生成部Ｃ１によって再生されたデジタルデータの画像データを表示または音データを出力する機能が含まれる。
【００４１】
送受信履歴情報保存部は、ディスクＩＤ１に対応して生成された履歴情報を連続的に保存しながら、一定時間前の履歴情報を消去させる。または、履歴情報を消去せずに、過去の編集内容のそれぞれを編集した編集時毎に生成される履歴情報をディスクＩＤに対応付けて保存する。
【００４２】
また、送受信履歴情報保存部は、操作部４からその他の不揮発性記録媒体、例えば、メモリカード２８、ＨＤＤ２９、ホームサーバ２５のＨＤＤ、ｗｅｂサーバ２６のＨＤＤなどを選択した場合には、選択したその他の不揮発性記録媒体に一定容量の履歴情報の書き込みを行う。出力装置１の外部装置であるホームサーバ２５などについては、有線または無線、赤外線などによって機器接続部１６またはネットワーク接続部９と接続されている。
【００４３】
履歴情報生成・再生指示が送信されるとともにディスクＩＤ１と一致するディスクＩＤ２を含む履歴情報が送信された場合には、履歴情報生成・再生指示によりデジタルデータ生成・再生部８に基づいてＣＵＰ１１を備える制御部２と協働して、編集した際のデジタルデータの再生を行い、外部装置である画像音響装置３０に画像データを表示または音データを出力する。
【００４４】
ＣＤをそのまま表示またはディスクＩＤ１と一致せず、通常の再生指示が送信された場合には、通常の再生指示によりＣＤ２７のデジタルデータに基づいてＣＵＰ１１を備える制御部２と協働して、ＣＤ２７のデジタルデータを外部装置である画像音響装置３０に画像データを表示または音データを出力する。また、リモート操作装置１５のＣＤそのまま表示などの操作キーが操作され、通常の再生指示が送信された場合でも同様にＣＤ２７のデジタルデータを再生する。
【００４５】
操作部４は、本体装置１０に備える機器接続部１６と本体装置１０を離れて操作できるリモート操作装置１５とを備えて構成される。
機器接続部１６は、リモート操作装置１５と有線又は無線、赤外線などによって接続される。このときの有線又は無線、赤外線は、例えば、Ｂｌｕｅ  Ｔｏｏｔｈ、ＵＳＢケーブル、無線ＬＡＮ、Ｉｒ−ＤＡなどである。機器接続部１６は、リモート操作装置１５からの送信された信号を受信し、受信した信号をＣＰＵ１１へ出力する。また、機器接続部１６は、リモート操作装置１５へＣＰＵ１１から出力された信号を送信する。
なお、本体装置１０には、下記のリモート操作装置１５と同様の機能を有する入力操作部を備える。
【００４６】
リモート操作装置１５としては、例えば、リモートコントローラ２２の他に、携帯電話２３、無線キーボードなどが挙げられる。リモート操作装置１５は、本体装置１０の機器接続部１６に送信できるとともに、異なる本体装置１０や異なるリモート操作装置１５に送信することができる。
なお、リモート操作装置１５及び機器接続部１６は、本体装置１０とリモート操作装置１５との間、さらにリモート操作装置１５同士間で双方向にデータを送受信することができるものが好ましい。
【００４７】
デジタルデータ出力部５は、音データ処理部及び画像データ処理部を備えており、記憶部３のＨＤＤ２９、メモリカード２８、ＣＤ２７などから読み取られたデジタルデータまたは制御部２によって編集されたデジタルデータを、それ以降のデジタルデータ出力処理に適した画像データ及び音データに変換して出力する。
【００４８】
音データ処理部は、Ｄ／Ａ変換器を有している。Ｄ／Ａ変換機は、音データ処理部から入力されるデジタルデータをアナログ信号に変換する。音声アナログ信号は、図示しない増幅器を介して増幅され、スピーカー３２から出力される。
【００４９】
画像データ処理部は、例えば、入力された画像データに基づいて各画像を所定時間ごとに切換えて表示するスライドショー表示、複数のサムネイル画像を表示する一覧表示、電子アルバムとしてレイアウトされた画像を、ページめくっていくように表示するページめくり表示などを行うことのできる画像データをディスプレイ３１に表示する。
【００５０】
メディア装填部６は、本体装置１０に設けられたカードリーダを有しており、メディア装填部６にカードリーダに対応する不揮発性記録媒体のカード型２８（メモリカード）が差し込み可能になっている。また、メモリカード２８は、デジタルデータを編集した際の履歴情報を不揮発的に記憶することもできる。
メモリカードは、コンパクトフラッシュ（登録商標）メモリ、スマートメディア(登録商標）、ＳＤメモリカード(登録商標）、メモリースティック(登録商標）、マルチメディアカードなどが挙げられる。
【００５１】
ディスクドライブ７は、ＣＤ２７がディスクドライブ７に装填されているか否かと検出するピックアップを備えている。ＣＤ２７に対して照射された光線の反射光を検出することにより、ＣＤ２７に記録されているデジタルデータを読み取りを行う。
【００５２】
ＣＤ２７は、ディスクドライブ７に差し込み可能となっている。ディスクドライブ７は、ＣＰＵ１１の制御に従って、ＣＤ２７からディスクＩＤ１及びデジタルデータを読み込む。
例えば、ＣＤ２７は、ＣＤの他、ＣＤ−Ｒ、ＣＤ−Ｒ／Ｗ、ＤＶＤ−Ｒ、ＤＶＤ−Ｒ／Ｗ、ＤＶＤ＋Ｒ／Ｗ、ＤＶＤ−ＲＡＭ、ブルーレイディスクなどが挙げられる。
図３に示すように、表示対象記録媒体であるＣＤ２７は、ディスクＩＤ１と画像データ及び音データのデジタルデータとが記録されている領域３０と、デジタルデータ再生プログラムが記録されている領域３１とに分かれていることが好ましい。
【００５３】
ネットワーク接続部９は、ＬＡＮ、ＷＡＮ、ＶＡＮ、インタ−ネットなどの通信ネットワーク２４を解してホームサーバ２５やｗｅｂサーバ２６などの通信手段と接続する。これらホームサーバやｗｅｂサーバは、記憶部としてＨＤＤを備えることができ、メモリカード２８も装填することができる。また、ネットワーク接続部９が出力装置１にないまたは外部記憶手段と接続されていなくともよい。また、リモート操作装置１５は、異なる出力装置との間で履歴情報などを送受信することができる。さらにリモート操作装置１５は、異なるリモート操作装置１５間でも履歴情報などを送受信することができる。
【００５４】
ここで、履歴情報の階層構造の例を図４に示す。図４に示すように、＜ＨＥＡＤＥＲ＞として、Ｄｉｓｋ  ＩＤ(ディスクＩＤ２）、Ｈｉｓｔｒｙ（履歴）、ＢＧＭがある。ディスクＩＤ２は、目的のディスクのディスクＩＤ１と一致するかどうかの識別をするディスクの識別番号である。履歴は、スライド表示した場合の表示順序を示す情報であって、例えば、編集したデジタルデータは６番目であることを指す履歴である。ＢＧＭは、読み出す音データの識別番号である。年月日時分として２０＊＊／＊＊／＊＊  ＊＊；＊＊を加えてもよい。
【００５５】
さらに、＜ＰＨＯＴＥ＞として、ＪＯＢ、ＰＡＴＨ、ＲＯＴＡＴＥ，ＳＬＩＤＥ  ＳＥＱ、ＳＬＩＤＥ  ＥＦＦＥＣＴ、ＣＲＯＰ、ＣＭＳ＿Ｂ、ＣＭＳ＿Ｇ、ＣＭＳ＿Ｒ、ＣＭＳ＿Ｓ、ＣＭＳ＿Ｃなどがある。
【００５６】
ＪＯＢは、＜Ｐｈｏｔｏ＞データの一つの塊と順番を表し、ＪＯＢ＝００１、００２、…と順次、記録して、個々の画像データを表示画面に表示したか否かを示す。これによって、特定のスライドについて、スキップ、表示しない、スライドの順番などを履歴情報とすることができる。ＰＡＴＨは、編集した画像データの記録場所を示す識別番号である。ＲＯＴＡＴＥは、画像データの回転を表し、例えば、右９０°旋回は＋９０、左９０°旋回は−９０である。ＳＬＩＤＥ  ＥＦＦＥＣＴは、スライド表示した場合の表示開始時間及び／又は表示終了時の表示態様を示す情報であって、例えば、静止画像データを右から中央へ移動させたり、中央から画面全体に拡大させたりする効果である。また、ＳＬＩＤＥ  ＥＦＦＥＣＴには、表示した場合に同時に再生した音楽情報を示す情報であって、例えば、音データを挿入したりする効果もある。ＣＲＯＰは左上を（０，０）として原点からの長さ（Ｘ，Ｙ）である。ＣＭＳ＿Ｂ、ＣＭＳ＿Ｇ、ＣＭＳ＿Ｒは編集した画像データの色調整で、青、緑、赤の色の階調である。ＣＭＳ＿Ｓは画像データの鮮明度である。ＣＭＳ＿Ｃは明暗の際立ち具合度である。この他に、一般的に画像データ処理に用いられているものを履歴情報の＜Ｐｈｏｔｏ＞として、例えば、ぼやかしはＣＭＳ＿Ｎ、モザイクはＣＭＳ＿Ｍ、フィルタ処理はＣＭＳ＿Ｆ、画像の縮小はＲＥＤ、拡大はＥＸＰなどを用いる。この他に、変形、エッジ抽出フィルタ、メディアンフィルタなどの画像の特殊効果を履歴情報として作成することができる。これによって、特定のスライドについてのデジタルデータ処理を履歴情報とすることができる。
【００５７】
ここで、図５を用いてリモート操作装置１５について詳細に説明する。
リモート操作装置１５は、制御部４２、記憶部４３、操作部４４、表示部４５、送受信メディア装填部４６、送受信部４７、送受信履歴情報部４８などを備えて構成され、各部はバス５０により接続されている。また、スキャナ部が備えられていてもよい。
【００５８】
制御部４２は、リモート操作装置１５の各部を統括する。制御部４２は、ＣＵＰ５３、ＲＯＭ５４、ＲＡＭ５５、不揮発性メモリ５６を備える。
ＣＵＰ５３は、操作部４４から入力されるまたは本体装置１０の機器接続部１６から送信される各指示に従って、ＲＯＭ５４に記録されている各種プログラムの中から指定したプログラムをＲＡＭ５５のワークエリアに展開し、下記プログラムの協働によって各種処理を実行し、その処理結果などをＲＡＭ５５の所定の領域に格納する。格納するとともに、ＣＵＰ５３は、送受信部４７から履歴情報、ディスクＩＤ、またはデジタルデータなどを本体装置１０の機器接続部１６に送信させる。さらに、ＣＵＰ５３は、表示部４５に履歴情報、ディスクＩＤ、またはデジタルデータなどを出力させることができる。
【００５９】
ＲＯＭ５４は、不揮発性の半導体メモリで構成される。ＲＯＭ５４は、ＣＵＰ５３により実行される各種プログラムなどを記憶する。
ＲＡＭ５５は、ＤＲＡＭなどの書き換え可能な半導体素子で構成される。ＲＡＭ５５は、データが一時的に保存される記録媒体であり、ＣＵＰ５３が実行するためのプログラムを展開するためのプログラムエリア、送受信部または送受信操作部から入力されるデータやＣＵＰ５３による各種処理結果を保存するためのデータエリアなどを有している。
また、送受信不揮発性メモリは、Ｅ2ＰＲＯＭなどの半導体素子である。この送受信不揮発性メモリによってデジタルデータを編集した際に入力された履歴情報が不揮発的に記憶されている。そして、ＣＵＰ５３の制御に従って、ディスクＩＤ及び履歴情報を読み出し、ＣＵＰ５３に出力させる。
【００６０】
記憶部４３は、不揮発性記録媒体である送受信ＨＤＤ（図示せず）を備えて構成され、各処理装置により生成されたデータを送受信ＨＤＤなどに記憶させる。例えば、デジタルデータを編集する際に操作部４４により入力された履歴情報を出力装置などの間で送受信するための履歴情報送受信プログラムや送受信の際に送受信機億部４３に編集した履歴情報を保存するための履歴情報保存プログラムなどである。これらプログラムは下記のとおりの機能である。また、編集したデジタルデータを再生するためなどに上記のデジタルデータ再生プログラムや履歴情報生成Ｃ１プログラムなどが含まれていてもよい。
また、送受信ＨＤＤによって、ディスクＩＤ及び履歴情報を不揮発的に記憶させることができる。送受信ＨＤＤは、ＣＵＰ５３の制御に従って、デジタルデータを編集した際のディスクＩＤ及び履歴情報を読み出させることができる。
【００６１】
メディア装填部４６は、本体装置１０に設けられているカードリーダと同様のカードリーダを有しており、送受信メディア装填部４６にカードリーダに対応するメモリカード２８が差し込み可能となっている。また、メモリカード２８の機能及び種類は、上記と同様である。
【００６２】
操作部４４は、英カナ数字キー、選択キー、各種機能キー、ボタン、十字キー、読み取りスキャナなどを備えている。キー及びボタンはユーザの押下などの操作によって入力可能である。また、画像読み取りできるスキャナ部を備える場合には、予めＲＯＭ５４に一定の取り決めによって形成されている画像または磁気をユーザがスキャナ部で取り込まさせて入力することによって、入力された画像または磁気から信号に変換し、変換された信号をＣＵＰ５３に出力するプログラムが格納されている。例えば、フェリカ（登録商標）、バーコード、磁気テープ、ＩＣチップ、ＩＣタグなどである。なお、リモート操作装置１５は、外部接続部（図示せず）を介して外部接続キーボードまたは外部接続マウスなどと接続することができる。
【００６３】
リモート操作装置１５の操作部４４のキーなどを操作することによって送受信部４７から送信された信号を本体装置１０に備える機器接続部１６で受信し、受信した信号をＣＰＵ１１へ出力する。送受信部４７は、上記のとおり、有線または無線、赤外線などによって信号を本体装置１０との間で送受信する。また本体装置１０の機器接続部１６からの信号を送受信部４７によって受信し、受信した編集命令信号などをＣＵＰ５３へ出力する。または、送受信部４７は、ＣＵＰ５３から出力された履歴情報保存命令信号などを機器接続部１６へ信号を送信する。
【００６４】
送受信履歴情報部４８は、履歴情報送受信部Ｃ１及び送受信履歴情報保存部から構成されている。この履歴情報送受信部Ｃ１に履歴情報送受信プログラム及び送受信履歴情報保存部に送受信履歴情報保存プログラムを格納する。送受信履歴情報部４８は、これらのプログラムを格納し、主としてＣＵＰ５３を含む制御部４２と協働しながら、以下のように履歴情報の送受信及び保存を行うプログラムである履歴情報送受信プログラム及び履歴情報保存プログラムを稼動させる。
【００６５】
なお、表示部４５を備える場合には、送受信履歴情報部４８に、履歴情報をデジタルデータに再生・生成するため上記のデジタルデータ生成・再生部と同様の送受信デジタルデータ生成・再生部を構成として追加してもよい。この送受信デジタルデータ生成・再生部に上記と同様にデジタルデータから履歴情報及び履歴情報からデジタルデータに生成し、再生するプログラム及びデジタルデータ再生プログラムを格納する。主としてＣＵＰ５３を含む制御部４２と協働しながら、ジタルデータに生成し、再生するプログラム及びデジタルデータ再生プログラムを稼動させる。表示部４５は、上記の通りＬＣＤや有機ＥＬなどが備えられており、上記の通りデジタルデータを処理するによって画像表示を行う。
【００６６】
履歴情報送受信部Ｃ１は、本体装置１０の編集された記録媒体の表示動作に際してＣＤ２７のディスクＩＤ１を読み出して送信されたディスクＩＤ１を送受信部４７で受信する。または、リモート操作装置１５の操作部４４のディスクＩＤ読み出しキーなどを操作して送信することによって、本体装置１０にディスクＩＤ１の読み出し及び送信を行わせ、送信されたディスクＩＤ１を送受信部４７で受信することもできる。
編集された記録媒体の表示動作に際してとは、例えば、出力装置１の編集操作の中断、出力装置１の停止して編集操作の再開、出力装置１の起動または再起動の場合など一定時間をおいて再び編集前または編集後のデジタルデータを編集する場合をいう。
【００６７】
履歴情報送受信部Ｃ１は、再び編集を開始後一定時間経過した場合に、履歴情報に基づいて表示を行う指示、またはそのまま表示を行う指示のうち、履歴情報に基づいて表示を行う指示が自動的に選択される。
ここで、履歴情報に基づいて表示を行う指示とは、送信されたディスクＩＤ１に対応する履歴情報に基づいて表示を行う指示をいう。また、そのまま表示を行う指示とは、履歴情報に基づかずにＣＤ２７のデジタルデータに基いて通常の再生指示であるそのまま表示の指示を行う指示をいう。
このとき、一定時間経過の時間設定、いずれか一方の自動選択を予めユーザによって操作部４より記憶部３に記憶させておくことができる。また、いずれか一方を操作部４の操作キーによる外部操作入力信号によってユーザが選択することもできる。
制御部４２は、一定時間経過や外部操作入力によって選択された操作入力信号を操作部４４と機器接続部１４とを介して制御部２に送信する。送信された操作入力信号に基づき、制御部２は、第1の表示制御モードまたは第２の表示制御モードを選択する。
【００６８】
履歴情報送受信部Ｃ１は、履歴情報に基づいて表示を行う際には、受信したディスクＩＤ１に一致するディスクＩＤ２を含む履歴情報が保存されている不揮発性メモリ５６から検索し、読み出しを行う。
このとき、検出する不揮発性記録媒体は、本体装置１０のＨＤＤ２９または異なる出力装置のＨＤＤ、リモート操作装置１５または異なるリモート操作装置の送受信ＨＤＤ、メモリカード２８などの不揮発性記録媒体でもよく、通信ネットワーク２４上のホームサーバ２５またはｗｅｂサーバ２６のＨＤＤなどであってもよい。また、不揮発性メモリ５６に目的とするディスクＩＤが検索できないときには、例えば、送受信ＨＤＤ、リモート操作装置１５に装填されているメモリカード２８、異なるリモート操作装置などの順に検索を行うことができる。
【００６９】
履歴情報送受信部Ｃ１は、ディスクＩＤ１に一致するディスクＩＤ２を不揮発性メモリ５６などから検索の結果、一致するディスクＩＤ２がある場合には、ディスクＩＤ１に対応するディスクＩＤ２を含む履歴情報を生成・再生指示とともに送信する。このとき、複数の一致するディスクＩＤ２がある場合には、最新に更新された履歴情報を送信する。なお、ユーザが操作部４４から入力することによってユーザが選択した履歴情報を本体装置１０に送信することもできる。これによって、本体装置１０は、送信された履歴情報生成・再生指示により、リモート操作装置１５から送信された履歴情報に基づいてデジタルデータの生成・再生を行う。
【００７０】
履歴情報送受信部Ｃ１は、一致するディスクＩＤ２がない場合には、通常の再生指示を送信する。これによって、出力装置１は、送信された通常の再生指示により、本体装置１０のＣＤ２７に記録されているデジタルデータに基づいて再生を行う。
【００７１】
履歴情報送受信部Ｃ１は、別のＣＤに差し替える場合には、操作部４４のＣＤ差し替えなどの操作キーを操作することによって、ＣＤ差し替え指示を機器接続部１６に送信する。このとき、別のＣＤを差し替えた場合には、履歴情報送受信部Ｃ１は、上記と同様に新たに差し替えたＣＤのディスクＩＤ１の読み出しから行う。
【００７２】
送受信履歴情報保存部は、履歴情報送受信部Ｃ１がディスクＩＤ１に対応するディスクＩＤ２を含む履歴情報を検索した結果、ディスクＩＤ１に対応する履歴情報が一つのみ読み出された場合には、その読み出した履歴情報をディスクＩＤ１に対応付けて別に新たな履歴情報として不揮発性メモリ５６に保存する。履歴情報送受信部Ｃ１が複数の履歴情報を読み出した場合には、最新の履歴情報を選択して上記と同様に別に新たな履歴情報として不揮発性メモリ５６に保存する。なお、複数の履歴情報が存在する場合には、本体装置１０に送信された履歴情報をディスクＩＤ１に対応付けて別に新たな履歴情報として不揮発性メモリ５６に保存する。
【００７３】
送受信履歴情報保存部は、ディスクＩＤ１に対応する履歴情報がない場合には、本体装置１０に差し込まれているＣＤ２７の読み出されたディスクＩＤ１に対応付けて別に新たな履歴情報として記録し、保存する。
【００７４】
操作部４４の操作キーを編集のためユーザが入力操作を行った場合には、入力操作毎にディスクＩＤ１に対応付けて履歴情報を不揮発性メモリ５６に連続的に保存する。このとき、履歴情報を保存しながら、操作部４４の操作した操作キーを信号として出力装置１の機器接続部１６に送信することもできる。
【００７５】
また、不揮発性メモリ５６の他に、リモート操作装置１５のＨＤＤ及び装填したメモリカード２８などに連続的に保存することができる。他の記憶媒体として、編集操作中に履歴情報を受信できる本体装置１０のＨＤＤ２９または異なる本体装置１０のＨＤＤ、リモート操作装置１５または異なるリモート操作装置の送受信ＨＤＤでもよい。また、他の送受信機の不揮発性メモリ、充填されたメモリカード２８などでもよく、さらに通信ネットワーク２４を介してホームサーバ２５またはｗｅｂサーバ２６のＨＤＤなどであってもよい。
【００７６】
また、送受信履歴情報保存部は、操作した操作キーをディスクＩＤ１に対応付けるディスクＩＤ２を含む履歴情報としてリモート操作装置１５の記憶媒体に連続的に保存するとともに、送受信部４７から異なるリモート操作装置、通信ネットワーク２４上のホームサーバ２５またはｗｅｂサーバ２６、異なる出力装置に連続して保存している履歴情報を送受信できる。また、履歴情報をリモート操作装置１５の記憶媒体に直接記憶せずに、リモート操作装置の他の記憶媒体に連続的に保存することとしてもよい。
【００７７】
送受信履歴情報保存部は、リモート操作装置１５の操作部４４によってデジタルデータの編集操作を行っている場合には、リモート操作装置１５の不揮発性メモリ５６などにディスクＩＤ１に対応する履歴情報の保存を行いながら、一定時間前の履歴情報を消去させる。または、過去の履歴情報を消去せずに、各ディスクＩＤ１に対応付けて履歴情報毎に保存する。
【００７８】
なお、送受信履歴情報保存部は、操作部４４の操作キーを操作する毎には送信せず、編集した履歴情報を一括または部分ごとに本体装置１０または異なるリモート操作装置などに送信することができる。
また、リモート操作装置１５は、デジタルデータ生成・再生部（図示せず）を備えていてもよい。この場合、デジタルデータ生成・再生部は、下記と同様にデジタルデータ再生プログラム及び編集履歴生成プログラムを格納し、主としてＣＵＰ５３を含む制御部４２と協働しながら、下記の履歴情報からデジタルデータの生成を行うプログラムである履歴情報生成部Ｃ１またはデジタルデータの再生を行うプログラムであるデジタルデータ再生プログラムを稼動させる。
【００７９】
このとき、画像データは表示部４５によって表示され、操作部４４を操作することによって表示された画像データ及び音データを編集することができる。表示部４５で画像データ及び音データを編集している際に、上記の送受信履歴情報保存部によって履歴情報を不揮発性メモリ５６などに連続的に保存する。デジタルデータを編集した後、編集したデジタルデータを、操作部４４の送信キーなどによって本体装置１０に送信するまたはリモート操作装置１５から受信することができる。
【００８０】
なお、出力装置１の不揮発性記録媒体として、不揮発性メモリ、ＨＤＤ、メモリカード、ホームサーバやｗｅｂサーバに備えられているＨＤＤなどを挙げているが、これら全てを備えている必要は無く、その中の一つ以上の記憶部を備えていればよく、上記以外の他の記憶媒体を備えていてもよい。また、リモート操作装置１５の送受信記憶部も、上記と同様に、不揮発性メモリ、ＨＤＤ、メモリカード、ホームサーバやｗｅｂサーバのＨＤＤなどを挙げているが、これら全てを備えている必要は無く、その中の一つ以上の記憶媒体を備えていればよく、上記以外の他の記憶媒体を備えていてもよい。
【００８１】
以下に、本実施形態における出力装置１の動作を説明する。
なお、動作説明の前提として、以下のフローチャートに記載されている処理を実現するための本体装置１０におけるプログラムは、本体装置１０のＣＰＵ１１が読取可能なプログラムコードの形態でＲＯＭ１２に格納されており、ＣＰＵ１１は、当該プログラムコードに従った動作を逐次実行する。さらに、リモート操作装置１５におけるプログラムは、リモート操作装置１５のＣＵＰ５３が読取可能なプログラムコードの形態でＲＯＭ５４に格納されており、送受信ＣＰＵ５３は、当該プログラムコードに従った動作を逐次実行する。
【００８２】
このとき、本体装置１０における制御手段として、制御部２、記憶部３、デジタルデータ生成・再生部８及びデジタルデータ出力部５が主に機能する。
送受信手段は送信手段と受信手段とから構成され、特に送信手段としてリモート操作装置１５が主に機能する。
リモート操作装置１５における制御手段として、制御部４２、記憶部４３、送受信履歴情報部４８及び送受信部４７が主に機能する。リモート操作装置１５における履歴情報保存手段として、制御部４２、記憶部４３、及び送受信履歴情報部４８が主に機能する。さらに、履歴情報保存手段として、制御部２、記憶部３、デジタルデータ生成・再生部８も機能する場合がある。表示手段として、デジタルデータ出力部５や表示部４５が主に機能する。履歴情報保存手段には不揮発性メモリなどから編集履歴情報を読み出す読み出し手段と不揮発性メモリなどに編集履歴情報を書き込み保存する保存手段とから構成されている。
【００８３】
図６及び図７は、本体装置１０とリモート操作装置１５との間の送受信において実行されるディスクＩＤ１とに対応する履歴情報の送受信、履歴情報などに基づくデジタルデータの再生などを示すフローチャートである。デジタルデータの生成・再生は、ＣＰＵ１１と記憶部３に格納されている履歴情報生成プログラムまたは／及びデジタルデータ再生プログラムとの協働により実行される。また、履歴情報の保存、送受信は送受信ＣＰＵ５３と記憶部４３に格納されている履歴情報送受信プログラム及び履歴情報保存プログラムとの協働により実行される。
【００８４】
まず、図６を参照して履歴情報の送受信及びデジタルデータの再生について説明する。
制御部２によって、編集された記録媒体の表示動作に際して、本体装置１０に装填されているＣＤ２７からディスクＩＤ１が読み出される（Ｓ１）。
【００８５】
制御部２によって、読み出されたディスクＩＤ１は機器接続部１６からリモート操作装置１５に送信され、受信される（Ｓ２、Ｓ３）。
制御部４２によって、一定時間経過後、履歴情報に基づいて表示を行うに判断される（Ｓ４）。このとき、ユーザによって予め操作部４４より一定時間経過後、ＣＤのデジタルデータに基づいて表示を行うように制御部４２に判断することも可能である。
また、一定時間経過前にユーザによって操作部４４よりそのまま表示を行う指示が選択された場合には、制御部４２によって、通常の再生指示が送信される（Ｓ４、Ｓ８）。
【００８６】
履歴情報に基づいて表示を行う場合には、制御部４２によって、ディスクＩＤ１と一致するディスクＩＤ２を含む履歴情報が不揮発性メモリから検索される（Ｓ５）。
一致するディスクＩＤ２が不揮発性メモリにない場合には、制御部４２によって、記憶部４３のＨＤＤ、送受信メディア装填部４６に装填されているメモリカード２８の順で一致するディスクＩＤ２が検索される。複数一致する場合には、制御部４２によって、最新の履歴情報が選択されるように判断される。
【００８７】
制御部４２によって、上記の履歴情報に基づいての表示の有無または検索したディスクＩＤ２とディスクＩＤ１との一致の有無によりそのまま表示の通常の再生指示である第１の表示制御モードまたは履歴情報生成・再生指示である第２の表示制御モードのいずれかが選択され、判断される（Ｓ６、Ｓ７、Ｓ８）。
【００８８】
ディスクＩＤ１と検索したディスクＩＤ２とが一致した場合は、制御部４２及び記憶部４３によって、出力措置１の機器接続部１６を介して制御部２に履歴情報生成・再生指示が送信される（Ｓ７）。
また、ディスクＩＤ１と検索したディスクＩＤ２とが一致しない場合には、制御部４２及び記憶部４３によって、上記と同様に出力措置１に通常の再生指示が送信される（Ｓ８）。
【００８９】
制御部４２によって送信された第１の表示制御モードまたは第２の表示制御モードの信号は、機器接続部１６を介して制御部２に入力される。制御部２によって、入力された第１の表示制御モードまたは第２の表示制御モードが逐次実行される（Ｓ９）。
【００９０】
第２の表示制御モードが判断された場合には、制御部２によって、ＣＤ２７に記録されているデジタルデータがＲＡＭ１３に読み出される。デジタルデータ生成・再生部８と制御部２とが協働して、読み出されたデジタルデータ及び履歴情報に基づいて選択した画像データ表示の際に生成された編集のデジタルデータが生成される（Ｓ１０）。生成されたデジタルデータはＲＯＭ１２に格納されているデジタルデータ再生プログラムによりデジタルデータ出力部５から画像音響装置３０に送信される。送信されたデジタルデータによって、静止画の画像データまたは動画の画像データが表示される。また、静止画の画像データが連続して順次表示威してスライドショーとして表示される、または、これらの画像データに対応して音データが再生される（Ｓ１０）。
【００９１】
第１の表示制御モードが決定された場合には、制御部２によって、ＣＤ２７に記録されているデジタルデータがＲＡＭ１３に読み出される。読み出されたデジタルデータはＲＯＭ１２に格納されているデジタルデータ再生プログラムによりデジタルデータ出力部５から画像音響装置３０に送信される。送信されたデジタルデータによって、静止画の画像データまたは動画の画像データが表示される。また、静止画の画像データが連続して順次表示威してスライドショーとして表示される、または、これらの画像データに対応して音データが再生される（Ｓ１１）。
【００９２】
出力装置１のデジタルデータの編集を再開または出力装置１を起動または再起動させた場合には、制御部２によって、上記のディスクＩＤ１を読み出しから開始される。
【００９３】
次に、図７を参照してディスクＩＤ１に対応付けて履歴情報の保存について説明する。
上記のそのまま表示が判断された場合またはディスクＩＤ１に対応する履歴情報がない場合（Ｓ２１）には、制御部４２によって、ディスクＩＤ１と履歴情報とを対応付けて履歴情報として不揮発性メモリに記憶させ、保存させる（Ｓ２６）。
【００９４】
このとき、不揮発性メモリの記憶容量を超えているなど履歴情報を保存することができない場合には、制御部４２によって、記憶部４３のＨＤＤ、送受信メディア装填部４６に装填されているメモリカード２８のいずれかに記憶させ、保存させる。なお、操作部４４によるユーザ入力などによって、予め制御部４２にいずれの記録媒体に記憶させるかを決定することができる。また、上記の記録媒体であってもよい。
【００９５】
上記のディスクＩＤ１に一致するディスクＩＤ２が検索され、ディスクＩＤ１に対応する履歴情報がある場合には（Ｓ２１）、制御部４２によって、ディスクＩＤ１に対応する履歴情報が不揮発性メモリ５６から読み出される（Ｓ２２）。その他の不揮発性記録媒体からの読み出しが制御部４２に予め決定されている場合には、制御部４２によって、決定されている不揮発性記録媒体からもディスクＩＤ１に対応する履歴情報が読み出される。
【００９６】
読み出された履歴情報が一つの場合には、制御部４２によって、その読み出された履歴情報に基づいてディスクＩＤ１に対応付けて別に新たに履歴情報として保存させる（Ｓ２５）。読み出された履歴情報が複数の場合には（Ｓ２３）、制御部４２によって、最新の履歴情報を選択するように判断し（Ｓ２４）、その最新の履歴情報に基づいてディスクＩＤ１に対応付けて別に新たに履歴情報として連続的に記憶させ、保存させる（Ｓ２５）。このとき、ユーザが操作部４４によって選択した場合には、制御部４２によって優先的にユーザによって履歴情報を選択する。その後、選択した履歴情報が読み出され、その読み出された履歴情報に基づいてディスクＩＤ１に対応付けて別に新たに履歴情報として連続的に記憶させ、保存させる。
なお、制御部４２によって、別に新たな履歴情報として保存させることなく、読み出された履歴情報を引き続き連続して記憶させ、保存させることもできる。
【００９７】
不揮発性メモリ５６に履歴情報を保存させた後、編集のためにリモート操作装置１５の操作部４４の操作キーをユーザが入力する場合、制御部４２によって、保存された履歴情報は入力された操作キーに基づいて不揮発性メモリ５６に連続的に記憶させ、保存させる（Ｓ２７、Ｓ２９）。また、操作キーを入力した場合、制御部４２によって、入力した操作キーに基づいて送受信部４７から本体装置１０に編集命令信号が送信される（Ｓ２７、Ｓ２８）。
【００９８】
制御部４２によって、不揮発性メモリ５６の他に、編集操作中に履歴情報を受信できる本体装置１０のＨＤＤ２９または異なる出力装置のＨＤＤ、リモート操作装置１５または異なるリモート操作装置の送受信ＨＤＤでもよい。また、他の送受信機の不揮発性メモリ、充填されたメモリカード２８などでもよく、通信ネットワーク２１上のホームサーバ２５のＨＤＤまたはｗｅｂサーバ２６のＨＤＤなどに保存させることができる。
【００９９】
出力装置１のデジタルデータの編集を再開または出力装置１を起動または再起動させた場合の編集された記録媒体の表示動作に際して、送受信制御５６によって、上記と同様にディスクＩＤ１に対応する履歴情報が不揮発性メモリ５６に保存される。
【０１００】
この時、不揮発性メモリ５６などの不揮発性記録媒体は、送受信制御部２によって、自動的に過去の編集内容のそれぞれを編集した編集時毎に生成した履歴情報のディスクＩＤ１に対応付けて連続的に別に新たに履歴情報を、記憶させ、保存させることができる。
なお、履歴情報は、送受信制御部２によって、一定時間ごとに自動的に、または、転送などの操作キーによって他の不揮発性記録媒体に記録させることもできる。
【０１０１】
以上のことより、編集に不慣れなユーザなどが常に編集したデジタルデータを保存しなくとも、保存データ容量を少なくして送受信手段に保存することができる。この送受信手段に保存したディスクＩＤを含む履歴情報と出力装置の挿入されているＣＤのディスクＩＤとによって、画像データの編集の際に行われた画像データを表示手段に表示させることができる。このことによって、ユーザの編集のやり直しの不都合、デジタルデータのＣＤ保存の煩わしさを低減することができる。
【０１０２】
また、履歴情報を保存したリモート操作装置１５を用いることによって、編集した際の本体装置のみならず、異なる本体装置でも画像データの編集の際に行われた画像データを表示手段に表示させることができる。さらに、リモート操作装置に保存したデジタルデータを無線又は有線、赤外線などで他の送受信手段に送信するまたはメモリカードに保存して他の送受信手段に装填することができる。このことによって、異なるリモート操作装置を用いても画像データの編集の際に行われた画像データを表示手段に表示させることができる。
【０１０３】
また、ＣＤを通信手段であるホームサーバ２５やｗｅｂサーバ２６などに備えられているディスクドライブに装填し、双方向性の送受信手段を複数のユーザが用いることによって、複数のユーザが離れた場所であってもほぼ同時に複数のユーザが編集した際の共通したデジタルデータを各ユーザのリモート操作装置に保存することができる。このことによって、複数のユーザによって編集した際の共通のデジタルデータを画像データの編集の際に行われた画像データを表示手段に表示させることができる。
【０１０４】
〈第二の実施形態〉
本発明に係る第二の実施形態について図８を参照して第一の実施形態と異なる構成、作用、効果について説明する。なお、本発明の第二の実施形態は、前記第一の実施形態にデジタルデータ生成・再生部８及び送受信履歴情報部４８を変更したものである。
【０１０５】
出力装置１００は、本体装置１１０とリモート操作装置１１５とを備えている。操作部４として、リモート操作装置１５と本体装置１１０の機器接続部１６とが接続して構成する。
本体装置１１０は、制御部２、記憶部３、操作部４、デジタルデータ出力部５、メディア装填部６、ディスクドライブ７、デジタルデータ生成・再生部１０８、ネットワーク接続部９などを備えて構成され、各部はバス２０により構成されている。
【０１０６】
デジタルデータ生成・再生部１０８は、履歴情報生成部Ｃ２及びデジタルデータ再生部から構成されている。デジタルデータ再生部は第一の実施例と同様である。この履歴情報生成部Ｃ２に履歴情報生成Ｃ２プログラムを格納する。デジタルデータ生成・再生部１０８は、主としてＣＰＵ１１を含む制御部５と協働しながら、履歴情報生成Ｃ２プログラム及びデジタルデータ再生プログラムを稼動させる。
【０１０７】
履歴情報生成部Ｃ２は、編集された記録媒体の表示動作に際して、ディスクドライブ７に差し込まれているＣＤ２７のディスクＩＤ１及びディスクＩＤに対応する履歴情報の不揮発性メモリ１４から読み出しを行う。履歴情報生成部Ｃ２は、ディスクＩＤ１及びディスクＩＤ１に対応する履歴情報の読み出しを行った後、これらを機器接続部１６からリモート操作装置１１５に送信する。また、リモート操作装置１１５の操作キーによってディスクＩＤ１及びディスクＩＤ１に対応する履歴情報の読み出しを行うことができる。このとき、不揮発性メモリ１４の他、ＨＤＤ２９、メモリカード２８などの不揮発性記録媒体であってもよい。履歴情報生成部Ｃ２は、履歴情報の階層構造に従ってデジタルデータから履歴情報及び履歴情報からデジタルデータに生成する機構が含まれている。
【０１０８】
リモート操作装置１１５から履歴情報生成・再生指示及び通常の再生指示が送信された場合には、上記と同様に機器接続部１６に受信後、上記と同様に通常のデジタルデータの再生または履歴情報に基づいてデジタルデータを生成・再生する。
【０１０９】
ここで、リモート操作装置１１５について詳細に説明する。
制御部４２は、リモート操作装置１１５の各部を統括する。制御部４２は、ＣＵＰ５３、送受信メディア装填部４６、送受信部４７、送受信履歴情報部１４８などを備えて構成され、各部はバス５０により接続される。
【０１１０】
送受信履歴情報１４８は、履歴情報送受信部Ｃ２及び送受信履歴情報保存部から構成されている。送受信履歴情報保存部は上記の第一の実施形態と同様である。この履歴情報送受信部Ｃ２に履歴情報受信Ｃ２プログラムを格納する。送受信履歴情報部１４８は、これらのプログラムを格納し、主としてＣＵＰ５３を含む制御部４２と協働しながら、以下のようにリモート操作装置で生成される履歴情報の送受信及び保存を行うプログラムである履歴情報送受信Ｃ２プログラム及び履歴情報保存プログラムを稼動させる。
【０１１１】
履歴情報送受信部Ｃ２は、出力装置１００で編集された記録媒体の表示動作に際してＣＤ２７のディスクＩＤ１を読み出し、不揮発性記録媒体からそれに対応する履歴情報を読み出して送信されたディスクＩＤ１及びそれに対応する履歴情報を送受信部４７で受信する。
履歴情報送受信部Ｃ２は、再び編集を開始後一定時間経過した場合に、履歴情報に基づいて表示を行う指示、またはそのまま表示を行う指示のうち、履歴情報に基づいて表示を行う指示が自動的に選択される。このとき、一定時間経過の時間設定、いずれか一方の自動選択を予めユーザによって操作部４４より記憶部４３に記憶させておくことができる。また、一定時間前にいずれか一方を操作部４の操作キーによってユーザが選択することもできる。
【０１１２】
以下に、本実施形態における出力装置１００の動作を説明する。
なお、動作説明の前提として、以下のフローチャートに記載されている処理を実現するための本体装置１１０におけるプログラムは、本体装置１１０のＣＰＵ１１が読取可能なプログラムコードの形態でＲＯＭ１２に格納されており、ＣＰＵ１１は、当該プログラムコードに従った動作を逐次実行する。さらに、リモート操作装置１５におけるプログラムは、リモート操作装置１１５のＣＵＰ５３が読取可能なプログラムコードの形態でＲＯＭ５４に格納されており、送受信ＣＰＵ５３は、当該プログラムコードに従った動作を逐次実行する。
【０１１３】
このとき、本体装置１１０における制御手段として、制御部２、記憶部３、デジタルデータ生成・再生部１０８及びデジタルデータ出力部５が主に機能する。
送受信手段として、リモート操作装置１１５が主に機能する。リモート操作装置１１５における制御手段として、制御部４２、記憶部４３、送受信履歴情報部４８及び送受信部４７が主に機能する。リモート操作装置１１５における履歴情報保存手段として、制御部４２、記憶部４３、及び送受信履歴情報部１４８が主に機能する。さらに、履歴情報保存手段として、制御部２、記憶部３、デジタルデータ生成・再生部８も機能する場合がある。表示手段として、デジタルデータ出力部５や表示部４５が主に機能する。
【０１１４】
図８は、本体装置１１０とリモート操作装置１１５との間の送受信において実行されるディスクＩＤ１とに対応する履歴情報の送受信、履歴情報などに基づくデジタルデータの再生などを示すフローチャートである。デジタルデータの生成・再生は、ＣＰＵ１１と記憶部３に格納されている履歴情報生成Ｃ２プログラムまたは／及びデジタルデータ再生プログラムとの協働により実行される。また、履歴情報の保存、送受信は送受信ＣＰＵ５３と記憶部４３に格納されている履歴情報送受信Ｃ２プログラム及び履歴情報保存プログラムとの協働により実行される。
【０１１５】
まず、履歴情報の送受信及びデジタルデータの再生について説明する。
制御部２によって、編集された記録媒体の表示動作に際して、本体装置１１０に装填されているＣＤ２７のディスクＩＤ１及び不揮発性メモリ１４に記憶されているディスクＩＤ１に対応する履歴情報が読み出される（Ｓ１０１）。このとき、複数の履歴情報がある場合には、最新の履歴情報が選択される。また、不揮発性メモリ１４の他に上記の不揮発性記録媒体でもできる。
【０１１６】
読み出されたディスクＩＤ１及びディスクＩＤ１に対応する履歴情報は、機器接続部１６から送信され、リモート操作装置１１５に受信される（Ｓ１０２、Ｓ１０３）。
制御部４２によって、一定時間経過後、履歴情報に基づいて表示を行う指示に判断される（Ｓ１０４、Ｓ１０５）。このとき、ユーザによって予め操作部４４より一定時間経過後、そのまま表示を行う指示を制御部４２に判断することもできる。
また、一定時間経過前にユーザによって操作部４４よりそのまま表示を行う指示が選択された場合には、制御部４２によって、通常の再生指示が送信される（Ｓ１０４、Ｓ１０６）。
【０１１７】
制御部４２によって送信された第１の表示制御モードまたは第２の表示制御モードの信号は、機器接続部１６を介して制御部２に入力される。制御部２によって、入力された第１の表示制御モードまたは第２の表示制御モードが逐次実行される（Ｓ１０７）。
【０１１８】
第２の表示制御モードが判断された場合には（Ｓ１０７）、制御部２によって、ＣＤ２７に記録されているデジタルデータがＲＡＭ１３に読み出される。デジタルデータ生成・再生部８と制御部２とが協働して、読み出されたデジタルデータ及び履歴情報に基づいて選択した画像データ表示の際に生成された編集のデジタルデータが生成される（Ｓ１０８）。生成されたデジタルデータはＲＯＭ１２に格納されているデジタルデータ再生プログラムによりデジタルデータ出力部５から画像音響装置３０に送信される。送信されたデジタルデータによって、静止画の画像データまたは動画の画像データが表示される。また、静止画の画像データが連続して順次表示威してスライドショーとして表示される、または、これらの画像データに対応して音データが再生される（Ｓ１０８）。
【０１１９】
第１の表示制御モードが判断された場合には（Ｓ１０７）、制御部２によって、ＣＤ２７に記録されているデジタルデータがＲＡＭ１３に読み出される。読み出されたデジタルデータはＲＯＭ１２に格納されているデジタルデータ再生プログラムによりデジタルデータ出力部５から画像音響装置３０に送信される。送信されたデジタルデータによって、静止画の画像データまたは動画の画像データが表示される。また、静止画の画像データが連続して順次表示威してスライドショーとして表示される、または、これらの画像データに対応して音データが再生される（Ｓ１０９）。
【０１２０】
履歴情報の保存については第一の実施例と同様であって、例えば、ディスクＩＤ１に対応して履歴情報として不揮発性メモリ１４などに保存される。
また、本体装置１１０は、制御部２によって、本体装置１１０で編集しているデジタルデータを履歴情報の階層構造に基づいて履歴情報に生成し、生成された履歴情報がリモート操作装置１１５内の不揮発性メモリ５６やメモリカード２８などとは別に不揮発性メモリ１４に連続的に保存される。
出力装置１のデジタルデータの編集を再開または出力装置１を起動または再起動させた場合の編集された記録媒体の表示動作に際して、制御部５６及び制御部２によって、不揮発性メモリ１４及び不揮発性メモリ５６に保存されたディスクＩＤ１に対応する履歴情報が読み出される。
【０１２１】
以上のことより、リモート操作装置にディスクＩＤに対応する履歴情報が存在しない場合には、簡単にディスクＩＤに対応する履歴情報を得ることができる。
【０１２２】
〈第三の実施形態〉
本発明に係る第三の実施形態について図９を参照して第一の実施形態と異なる構成、作用、効果について説明する。なお、本発明の第三の実施形態は、前記第一の実施形態にデジタルデータ生成・再生部８及び送受信履歴情報部４８を変更したものである。
【０１２３】
出力装置２００は、本体装置２１０とリモート操作装置２１５とを備えている。出力装置２００には、制御部２、記憶部３、操作部４、デジタルデータ出力部５、メディア装填部６、ディスクドライブ７、デジタルデータ生成・再生部２０８、ネットワーク接続部９などを備えて構成され、各部はバス１０により構成されている。操作部４として、リモート操作装置２１５と本体装置２１０の機器接続部２１６とが接続して構成する。
【０１２４】
デジタルデータ生成・再生部２０８は、履歴情報生成部Ｃ３及びデジタルデータ再生部Ｃ１から構成されている。デジタルデータ再生部は第一の実施例と同様である。この履歴情報生成部Ｃ３に履歴情報生成Ｃ３プログラムを格納する。デジタルデータ生成・再生部２０８は、主としてＣＰＵ１１を含む制御部５と協働しながら、履歴情報生成Ｃ３プログラム及びデジタルデータ再生プログラムを稼動させる。
【０１２５】
履歴情報生成部Ｃ３は、編集された記録媒体の表示動作に際して、ディスクドライブ７に差し込まれているＣＤ２７のディスクＩＤ１の読み出しを不揮発性メモリ１４から読み出しを行う。このとき、編集された記録媒体の表示動作に際してには、ユーザによってリモート操作装置２１５の操作部４４の操作キーにより入力されたディスクＩＤ１が送信された場合も含まれる。履歴情報生成部Ｃ３は、ディスクＩＤ１を読み出し後、リモート操作装置２１５にディスクＩＤ１を送信する。
【０１２６】
ここで、リモート操作装置２１５について詳細に説明する。
送受信履歴情報部２４８は、履歴情報送受信部Ｃ３及び送受信履歴情報保存部から構成されている。この履歴情報送受信部Ｃ３に履歴情報送受信Ｃ３プログラム及び送受信履歴情報保存部に履歴情報保存プログラムを格納する。送受信履歴情報保存部は上記の第一の実施形態と同様である。送受信履歴情報部２４８は、これらのプログラムを格納し、主としてＣＵＰ５３を含む制御部４２と協働しながら、以下のようにリモート操作装置で生成される履歴情報の送受信及び保存を行うプログラムである履歴情報送受信Ｃ３プログラム及び履歴情報保存プログラムを稼動させる。
【０１２７】
履歴情報送受信部Ｃ３は、ユーザが操作部４４により入力したディスクＩＤ１を出力装置２００に送信する。履歴情報送受信部Ｃ３は、出力装置１の編集された記録媒体の表示動作に際して読み出されたＣＤ２７のディスクＩＤ１を受信し、送信したディスクＩＤと受信したディスクＩＤとが一致するかを判断する。
【０１２８】
送信したディスクＩＤと受信したディスクＩＤとが一致する場合には、履歴情報送受信部Ｃ３は、一定時間経過後、履歴情報に基づいて表示を行う指示を自動的に判断する。このとき、一定時間経過の時間設定、履歴情報に基づいて表示を行うまたはそのまま表示を行うのいずれかを予めユーザによって操作部４より記憶部４に記憶させることができる。また、いずれかを操作部４の操作キーによってユーザが選択することもできる。
送信したディスクＩＤと受信したディスクＩＤとが一致しない場合には、履歴情報送受信部Ｃ３は、ユーザにディスクＩＤの再入力を指示する。再入力した場合には、再度、上記と同様にディスクＩＤ１の送受信による送信したディスクＩＤと受信したディスクＩＤとの一致の判断を行う。履歴情報送受信部Ｃ３は、一定回数以上入力したディスクＩＤ１が受信するディスクＩＤ２と一致しない、または一定時間経過した場合には、そのままの表示を選択するように判断する。
【０１２９】
履歴情報送受信部Ｃ３は、再び編集を開始後一定時間経過した場合に、履歴情報に基づいて表示を行う指示、またはそのまま表示を行うの指示のうち、履歴情報に基づいて表示を行う指示を自動的に判断する。このとき、一定時間経過の時間設定、いずれか一方の自動選択を予めユーザによって操作部４４より記憶部４３に記憶させておくことができる。また、一定時間前にいずれか一方を操作部４の操作キーによってユーザが選択することもできる。
履歴情報送受信部Ｃ３は、履歴情報に基づいて表示を行う際には、受信したディスクＩＤ１に一致する履歴情報のディスクＩＤ２を履歴情報が保存されている不揮発性メモリ５６などから検索する。このとき、不揮発性メモリ５６他の不揮発性記憶媒体でもよい。
【０１３０】
履歴情報送受信部Ｃ３は、ディスクＩＤ１に一致するディスクＩＤ２を不揮発性メモリ５６などから検索の結果、一致するディスクＩＤ２がある場合には、ディスクＩＤ１に対応するディスクＩＤ２を含む履歴情報を生成・再生指示とともに送信する。このとき、複数の一致するディスクＩＤ２がある場合には、履歴情報が最新に更新された履歴情報を送信する。なお、ユーザが操作部４４から入力することによってユーザが選択した履歴情報を送信することもできる。
これによって、出力装置２００は、送信された履歴情報生成・再生指示により、リモート操作装置２１５から送信された履歴情報に基づいてデジタルデータの生成・再生を行う。
【０１３１】
履歴情報送受信部Ｃ３は、一致するディスクＩＤ１がない場合には、通常の再生指示を送信する。これによって、出力装置２００は、送信された通常の再生指示により、本体装置２１０のＣＤ２７に記録されているデジタルデータに基づいて再生を行う。
【０１３２】
履歴情報送受信部Ｃ３は、別のＣＤに差し替える場合には、操作部４４のＣＤ差し替えなどの機能キーを操作することによって、機器接続部１６にＣＤ差し替え指示を送信する。このとき、別のＣＤを差し替えた場合には、履歴情報送受信部Ｃ３は、上記と同様に新たに差し替えたＣＤのディスクＩＤ１の読み出しから行う。
【０１３３】
以下に、本実施形態における出力装置２００の動作を説明する。
なお、動作説明の前提として、以下のフローチャートに記載されている処理を実現するための出力装置２００におけるプログラムは、出力装置２００のＣＰＵ１１が読取可能なプログラムコードの形態でＲＯＭ１２に格納されており、ＣＰＵ１１は、当該プログラムコードに従った動作を逐次実行する。さらに、リモート操作装置２１５におけるプログラムは、リモート操作装置２１５のＣＵＰ５３が読取可能なプログラムコードの形態でＲＯＭ５４に格納されており、送受信ＣＰＵ５３は、当該プログラムコードに従った動作を逐次実行する。
このとき、制御手段として、出力装置における制御部２、記憶部３、デジタルデータ生成・再生部２０８及びデジタルデータ出力部５が主に機能する。
送受信手段として、リモート操作装置２１５が主に機能する。
送受信制御手段として、リモート操作装置１５における制御部４２、送受信機億部４３、送受信履歴情報部４８及び送受信部４７が主に機能する。履歴情報保存手段として、リモート操作装置２１５における送受信制御部、送受信記憶部、及び送受信履歴情報部２４８が主に機能する。
【０１３４】
図９は、本体装置２１０とリモート操作装置２１５との間の送受信において実行されるディスクＩＤ１とに対応する履歴情報の送受信、履歴情報などに基づくデジタルデータの再生などを示すフローチャートである。デジタルデータの生成・再生は、ＣＰＵ１１と記憶部３に格納されている履歴情報生成Ｃ３プログラムまたは／及びデジタルデータ再生プログラムとの協働により実行される。また、履歴情報の保存、送受信は送受信ＣＰＵ５３と記憶部４３に格納されている履歴情報送受信Ｃ３プログラム及び履歴情報保存プログラムとの協働により実行される。
【０１３５】
以下に、本実施形態における出力装置２００の動作を説明する。
なお、動作説明の前提として、以下のフローチャートに記載されている処理を実現するための本体装置２１０におけるプログラムは、本体装置２１０のＣＰＵ１１が読取可能なプログラムコードの形態でＲＯＭ１２に格納されており、ＣＰＵ１１は、当該プログラムコードに従った動作を逐次実行する。さらに、リモート操作装置２１５におけるプログラムは、リモート操作装置２１５のＣＵＰ５３が読取可能なプログラムコードの形態でＲＯＭ５４に格納されており、送受信ＣＰＵ５３は、当該プログラムコードに従った動作を逐次実行する。
【０１３６】
このとき、本体装置２１０における制御手段として、制御部２、記憶部３、デジタルデータ生成・再生部２０８及びデジタルデータ出力部５が主に機能する。送受信手段として、リモート操作装置２１５が主に機能する。リモート操作装置２１５における制御手段として、制御部４２、記憶部４３、送受信履歴情報部４８及び送受信部４７が主に機能する。リモート操作装置２１５における履歴情報保存手段として、制御部、記憶部、及び送受信履歴情報部２４８が主に機能する。さらに、履歴情報保存手段として、制御部２、記憶部３、デジタルデータ生成・再生部８も機能する場合がある。表示手段として、デジタルデータ出力部５や表示部４５が主に機能する。
【０１３７】
制御部２によって、編集された記録媒体の表示動作に際して、本体装置２１０に装填されているＣＤ２７のディスクＩＤ１及び不揮発性メモリ１４に記憶されているディスクＩＤ１に対応する履歴情報が読み出される。
【０１３８】
制御部４２によって、ユーザによって入力されたディスクＩＤ１が本体装置２１０に送信される（Ｓ２０１、Ｓ２０２）。
制御部２によって、リモート操作装置２１５から送信されたディスクＩＤ１を受信後（Ｓ２０３）、ディスクＩＤ１の読み出しが不揮発性メモリ１４から行われる（Ｓ２０４）。ディスクＩＤ１を読み出し後、制御部２によってディスクＩＤ１がリモート操作装置２１５に送信される（Ｓ２０５）。
【０１３９】
制御部４２によって、読み出されたディスクＩＤ１が受信された後（Ｓ２０６）、送信したディスクＩＤ１と送信されたディスクＩＤ１とが一致するかどうかが判断される（Ｓ２０７）。
一致しない場合には、送受信制御４２によって、再度ディスクＩＤ１の入力をユーザにさせる。一定回数以上送受信のディスクＩＤ１が一致しない、または一定時間経過した場合には、制御部４２によって、本体装置２１０にそのままの表示の通常の再生指示の送信される（Ｓ２０８、Ｓ２１３）。
一致する場合には、一定時間経過後、履歴情報に基づいて表示を行うが判断される（Ｓ２０９）。このとき、ユーザによって予め操作部４４より一定時間経過後、ＣＤのデジタルデータに基づいて表示を行うように制御部４２に判断することも可能である。
また、一定時間経過前にユーザによって操作部４４よりいずれか一方が選択された場合には、制御部４２によって、選択された指示に従っていずれか一方を行うように判断される。
【０１４０】
第２の表示制御モードが選択された場合（Ｓ２０９）は、制御部４２によって、ディスクＩＤ１と一致するディスクＩＤ２を含む履歴情報が不揮発性メモリから検索される（Ｓ２１０）。
一致するディスクＩＤ２が不揮発性メモリにない場合には、制御部４２によって、記憶部４３のＨＤＤ、送受信メディア装填部４６に装填されているメモリカード２８の順で一致するディスクＩＤ２が検索される。複数一致する場合には、制御部４２によって、最新の履歴情報が選択されるように判断される。
第二の表示制御モードが選択され、ディスクＩＤ１と検索したディスクＩＤ２とが一致した場合（Ｓ２１１）には、制御部４２によって、出力措置２００の機器接続部１６を介して制御部２に履歴情報生成・再生指示が送信される（Ｓ２１２）。
また、第１の表示制御モードが選択された場合（Ｓ２０９）またはディスクＩＤ１と検索したディスクＩＤ２とが一致しない場合（Ｓ２１０）には、制御部４２によって、上記と同様に出力措置１に通常の再生指示が送信される（Ｓ２１３）。
【０１４１】
制御部４２によって送信された第１の表示制御モードまたは第２の表示制御モードの信号は、機器接続部１６を介して制御部２に入力される。制御部２によって、入力された第１の表示制御モードまたは第２の表示制御モードが逐次実行される（Ｓ２１３）。
【０１４２】
第２の表示制御モードが決定された場合（Ｓ２１４）には、制御部２によって、ＣＤ２７に記録されているデジタルデータがＲＡＭ１３に読み出される。デジタルデータ生成・再生部８と制御部２とが協働して、読み出されたデジタルデータ及び履歴情報に基づいて選択した画像データ表示の際に生成された編集のデジタルデータが生成される（Ｓ２１５）。生成されたデジタルデータはＲＯＭ１２に格納されているデジタルデータ再生プログラムによりデジタルデータ出力部５から画像音響装置３０に送信される。送信されたデジタルデータによって、静止画の画像データまたは動画の画像データが表示される。また、静止画の画像データが連続して順次表示威してスライドショーとして表示される、または、これらの画像データに対応して音データが再生される（Ｓ２１５）。
【０１４３】
第１の表示制御モードが決定された場合（Ｓ２１４）には、制御部２によって、ＣＤ２７に記録されているデジタルデータがＲＡＭ１３に読み出される。読み出されたデジタルデータはＲＯＭ１２に格納されているデジタルデータ再生プログラムによりデジタルデータ出力部５から画像音響装置３０に送信される。送信されたデジタルデータによって、静止画の画像データまたは動画の画像データが表示される。また、静止画の画像データが連続して順次表示威してスライドショーとして表示される、または、これらの画像データに対応して音データが再生される（Ｓ２１６）。
【０１４４】
履歴情報の保存については第一の実施例と同様であって、例えば、ディスクＩＤ１に対応して履歴情報として不揮発性メモリ１４などに保存される。
出力装置２００のデジタルデータの編集を再開または出力装置２００を起動または再起動させた場合の編集された記録媒体の表示動作に際して、送受信制御５６及び制御部２によって、不揮発性メモリ１４及び不揮発性メモリ５６に保存されたディスクＩＤ１に対応する履歴情報が読み出される。
〈第四の実施形態〉
本発明に係る第四の実施形態について図１０を参照して第一の実施形態と異なる構成、作用、効果について説明する。なお、本発明の第四の実施形態は、前記第一の実施形態にデジタルデータ生成・再生部８及び送受信履歴情報部４８を変更したものである。
【０１４５】
出力装置３００は、本体装置３１０とリモート操作装置３１５とを備えている。出力装置３００は、御部２、記憶部３、操作部４、デジタルデータ出力部５、メディア装填部６、ディスクドライブ７、デジタルデータ生成・再生部３０８、ネットワーク接続部９などを備えて構成され、各部はバス２０により構成されている。操作部４として、リモート操作装置３１５と本体装置３１０の機器接続部３１６とが接続して構成する。
【０１４６】
デジタルデータ生成・再生部３０８は、履歴情報生成部Ｃ４及びデジタルデータ再生部から構成されている。デジタルデータ再生部は第一の実施例と同様である。この履歴情報生成部Ｃ４に履歴情報生成プログラムを格納する。デジタルデータ生成・再生部３０８は、主としてＣＰＵ１１を含む制御部５と協働しながら、履歴情報生成Ｃ４プログラム及びデジタルデータ再生プログラムを稼動させる。
【０１４７】
履歴情報生成部Ｃ４は、編集された記録媒体の表示動作に際して、ディスクドライブ７に差し込まれているＣＤ２７のディスクＩＤ１の読み出しを不揮発性メモリ１４から行う。このとき、編集された記録媒体の表示動作に際してに、ユーザによってリモート操作装置３１５の操作部４４の操作キーにより入力されたディスクＩＤ１が送信された場合も含まれる。制御部２は、ディスクＩＤ１を読み出し後、リモート操作装置３１５にディスクＩＤ１を送信する。
【０１４８】
履歴情報生成部Ｃ４は、リモート操作装置３１５から送信される履歴情報の取得指示を受信し、受信したディスクＩＤ１に対応する履歴情報の読み出しを不揮発性メモリから行う。読み出し後、リモート操作装置３１５に読み出された履歴情報を送信する。
操作部３０４は、出力装置３００に備える機器接続部１６と出力装置３００を離れて操作できるリモート操作装置３１５とを備えて構成される。
【０１４９】
ここで、リモート操作装置３１５について詳細に説明する。
送受信履歴情報部３４８は、履歴情報送受信部Ｃ４及び送受信履歴情報保存部から構成されている。この履歴情報送受信部Ｃ４に履歴情報送受信Ｃ４プログラム及び送受信履歴情報保存部に履歴情報保存プログラムを格納する。送受信履歴情報保存部は上記の第一の実施形態と同様である。送受信履歴情報部３４８は、これらのプログラムを格納し、主としてＣＵＰ５３を含む制御部４２と協働しながら、以下のようにリモート操作装置で生成される履歴情報の送受信及び保存を行うプログラムである履歴情報送受信Ｃ４プログラム及び履歴情報保存プログラムを稼動させる。
【０１５０】
履歴情報送受信部Ｃ４は、ユーザが操作部４４により入力したディスクＩＤ１を本体装置３１０に送信する。履歴情報送受信部Ｃ３は、送信後、出力装置１の編集された記録媒体の表示動作に際して読み出されたＣＤ２７のディスクＩＤ１を受信し、が送信される。履歴情報送受信部Ｃ２は、送信されたディスクＩＤ１を送受信部４７で受信し、送信したディスクＩＤと受信したディスクＩＤと送受信したディスクＩＤ１が一致するかを判断する。
【０１５１】
送信したディスクＩＤと受信したディスクＩＤとが一致する場合には、履歴情報送受信部Ｃ４は、一定時間経過後、履歴情報に基づいて表示を行う指示を自動的に判断する。このとき、一定時間経過の時間設定、履歴情報に基づいて表示を行うまたはそのまま表示を行うのいずれかを予めユーザによって操作部４より記憶部４に記憶させることができる。また、いずれかを操作部４の操作キーによってユーザが選択することもできる。
送信したディスクＩＤと受信したディスクＩＤとが一致しない場合には、履歴情報送受信部Ｃ４は、ユーザにディスクＩＤの再入力を指示する。再入力した場合には、再度、上記と同様にディスクＩＤ１の送受信による送信したディスクＩＤと受信したディスクＩＤとの一致の判断を行う。履歴情報送受信部Ｃ４は、一定回数以上入力したディスクＩＤ１が受信するディスクＩＤ２と一致しない、または一定時間経過した場合には、そのままの表示を選択するように判断する。
【０１５２】
履歴情報送受信部Ｃ４は、再び編集を開始後一定時間経過した場合に、履歴情報に基づいて表示を行う指示、またはそのまま表示を行うの指示のうち、履歴情報に基づいて表示を行う指示を自動的に判断する。このとき、一定時間経過の時間設定、いずれか一方の自動選択を予めユーザによって操作部４４より記憶部４３に記憶させておくことができる。また、一定時間前にいずれか一方を操作部４の操作キーによってユーザが選択することもできる。
履歴情報送受信部Ｃ４は、履歴情報に基づいて表示を行う際には、ディスクＩＤ１に対応する履歴情報を本体装置３１０から取得するための履歴情報の取得指示を送信する。本体装置３１０から読み出されたディスクＩＤ１に対応する履歴情報を受信する。
【０１５３】
履歴情報送受信部Ｃ４は、ディスクＩＤ１に対応する履歴情報を受信した場合には、ディスクＩＤ１に対応するディスクＩＤ２を含む履歴情報を生成・再生指示とともに送信する。
これによって、出力装置３００は、送信された履歴情報生成・再生指示により、リモート操作装置２１５から送信された履歴情報に基づいてデジタルデータの生成・再生を行う。
【０１５４】
履歴情報送受信部Ｃ４は、そのまま表示にした場合には、通常の再生指示を送信する。これによって、出力装置３００は、送信された通常の再生指示により、本体装置３１０のＣＤ２７に記録されているデジタルデータに基づいて再生を行う。
【０１５５】
履歴情報送受信部Ｃ４は、別のＣＤに差し替える場合には、操作部４４のＣＤ差し替えなどの機能キーを操作することによって、機器接続部１６にＣＤ差し替え指示を送信する。このとき、別のＣＤを差し替えた場合には、履歴情報送受信部Ｃ４は、上記と同様に新たに差し替えたＣＤのディスクＩＤ１の読み出しから行う。
【０１５６】
以下に、本実施形態における出力装置３００の動作を説明する。
なお、動作説明の前提として、以下のフローチャートに記載されている処理を実現するための本体装置３１０におけるプログラムは、本体装置３１０のＣＰＵ１１が読取可能なプログラムコードの形態でＲＯＭ１２に格納されており、ＣＰＵ１１は、当該プログラムコードに従った動作を逐次実行する。さらに、リモート操作装置３１５におけるプログラムは、リモート操作装置３１５のＣＵＰ５３が読取可能なプログラムコードの形態でＲＯＭ５４に格納されており、送受信ＣＰＵ５３は、当該プログラムコードに従った動作を逐次実行する。
【０１５７】
このとき、本体装置３１０における制御手段として、制御部２、記憶部３、デジタルデータ生成・再生部３０８及びデジタルデータ出力部５が主に機能する。送受信手段として、リモート操作装置３１５が主に機能する。リモート操作装置３１５における制御手段として、制御部４２、記憶部４３、送受信履歴情報部４８及び送受信部４７が主に機能する。リモート操作装置３１５における履歴情報保存手段として、制御部４２、記憶部４３、及び送受信履歴情報部３４８が主に機能する。さらに、履歴情報保存手段として、制御部２、記憶部３、デジタルデータ生成・再生部８も機能する場合がある。表示手段として、デジタルデータ出力部５や表示部４５が主に機能する。
【０１５８】
図１０は、本体装置３１０とリモート操作装置３１５との間の送受信において実行されるディスクＩＤ１とに対応する履歴情報の送受信、履歴情報などに基づくデジタルデータの再生などを示すフローチャートである。デジタルデータの生成・再生は、ＣＰＵ１１と記憶部３に格納されている履歴情報生成プログラムＣ４または／及びデジタルデータ再生プログラムとの協働により実行される。また、履歴情報の保存、送受信は送受信ＣＰＵ５３と記憶部４３に格納されている履歴情報送受信プログラムＣ４及び履歴情報保存プログラムとの協働により実行される。
【０１５９】
制御部２によって、編集された記録媒体の表示動作に際して、本体装置３１０に装填されているＣＤ２７のディスクＩＤ１及び不揮発性メモリ１４に記憶されているディスクＩＤ１に対応する履歴情報が読み出される。
【０１６０】
制御部４２によって、ユーザによって入力されたディスクＩＤ１が本体装置３１０に送信される（Ｓ３０１、Ｓ３０２）。
制御部２によって、リモート操作装置３１５から送信されたディスクＩＤ１を受信後（Ｓ３０３）、ディスクＩＤ１の読み出しが不揮発性メモリ１４から行われる（Ｓ３０４）。ディスクＩＤ１の読み出しを読み出し後、制御部２によってディスクＩＤ１がリモート操作装置３１５に送信される（Ｓ３０５）。
【０１６１】
制御部４２によって、読み出されたディスクＩＤ１が受信された後（Ｓ３０６）、送受信したディスクＩＤ１と送信されたディスクＩＤ１とが一致するかどうかが判断される（Ｓ３０７）。
一致しない場合には、送受信制御４２によって、再度ディスクＩＤ１の入力をユーザにさせる（Ｓ３０８、Ｓ３０１）。一定回数以上送受信のディスクＩＤ１が一致しない、または一定時間経過した場合には、制御部４２によって、本体装置２１０にそのままの表示の通常の再生指示である第１の表示制御モードが送信される（Ｓ３０８、Ｓ３１６）。
一致する場合には、一定時間経過後、履歴情報に基づいて表示を行うが判断される（Ｓ３０９）。このとき、ユーザによって予め操作部４４より一定時間経過後、ＣＤのデジタルデータに基づいて表示を行うように制御部４２に判断することも可能である。
また、一定時間経過前にユーザによって操作部４４よりいずれか一方が選択された場合には、制御部４２によって、選択された指示に従っていずれか一方を行うように判断される。
【０１６２】
履歴情報に基づいて表示の第２の表示制御モードが選択された場合は、制御部４２によって、出力措置３００の機器接続部１６を介して制御部２にディスクＩＤ１に対応する履歴情報を送信させるための履歴情報の取得指示が送信される（Ｓ３１０）。
制御部２によって、取得指示を受信後、ディスクＩＤ1に対応する履歴情報の読み出しを不揮発性メモリ１４から行わせる（Ｓ３１１、Ｓ３１２）。複数のディスクＩＤ１がある場合には、最新の履歴情報の読み出しを行わせる。
履歴情報を読み出し後、制御部２によってディスクＩＤ１に対応する履歴情報をリモート操作装置３１５に送信させる（Ｓ３１３）。
【０１６３】
制御部４２によって、送信されたディスクＩＤ１に対応する履歴情報を受信させる（Ｓ３１４）。受信後、制御部４２によって、履歴情報生成・再生指示である第２の表示制御モードが本体装置３１０に送信される（Ｓ３１５）。
また、第１の表示制御モードが選択された場合には、制御部４２によって、上記と同様に出力措置１に通常の再生指示が送信される（Ｓ３１６）。
【０１６４】
制御部４２によって送信された第１の表示制御モードまたは第２の表示制御モードの信号は、機器接続部１６を介して制御部２に入力される。制御部２によって、入力された第１の表示制御モードまたは第２の表示制御モードが逐次実行される（Ｓ３１７）。
【０１６５】
第２の表示制御モードが決定された場合には、制御部２によって、ＣＤ２７に記録されているデジタルデータがＲＡＭ１３に読み出される。デジタルデータ生成・再生部８と制御部２とが協働して、読み出されたデジタルデータ及び履歴情報に基づいて選択した画像データ表示の際に生成された編集のデジタルデータが生成される（Ｓ３１８）。生成されたデジタルデータはＲＯＭ１２に格納されているデジタルデータ再生プログラムによりデジタルデータ出力部５から画像音響装置３０に送信される。送信されたデジタルデータによって、静止画の画像データまたは動画の画像データが表示される。また、静止画の画像データが連続して順次表示威してスライドショーとして表示される、または、これらの画像データに対応して音データが再生される（Ｓ３１８）。
【０１６６】
第１の表示制御モードが決定された場合には、制御部２によって、ＣＤ２７に記録されているデジタルデータがＲＡＭ１３に読み出される。読み出されたデジタルデータはＲＯＭ１２に格納されているデジタルデータ再生プログラムによりデジタルデータ出力部５から画像音響装置３０に送信される。送信されたデジタルデータによって、静止画の画像データまたは動画の画像データが表示される。また、静止画の画像データが連続して順次表示威してスライドショーとして表示される、または、これらの画像データに対応して音データが再生される（Ｓ３１９）。
【０１６７】
出力装置３００のデジタルデータの編集を再開または出力装置３００を起動または再起動させた場合には、制御部４２によって、上記のディスクＩＤ１の入力から開始される。
次に、ディスクＩＤ１に対応付けて履歴情報の保存については、第一の実施形態と同様である。
【０１６８】
履歴情報の保存については第一の実施例と同様であって、例えば、ディスクＩＤ１に対応して履歴情報として不揮発性メモリ１４などに保存される。
また、本体装置３１０は、制御部２によって、本体装置３１０で編集しているデジタルデータを履歴情報の階層構造に基づいて履歴情報に生成し、生成された履歴情報がリモート操作装置１１５内の不揮発性メモリ５６やメモリカード２８などとは別に不揮発性メモリ１４に連続的に保存される。
出力装置３００のデジタルデータの編集を再開または出力装置３００を起動または再起動させた場合の編集された記録媒体の表示動作に際して、送受信制御５６及び制御部２によって、不揮発性メモリ１４及び不揮発性メモリ５６に保存されたディスクＩＤ１に対応する履歴情報が読み出される。
【０１６９】
以上のことより、上記のほかに、リモート操作装置にディスクＩＤに対応する履歴情報が存在しない場合には、簡単にディスクＩＤに対応する履歴情報を得ることができる。
【図面の簡単な説明】
【０１７０】
【図１】本発明の実施の形態における出力装置及び画像音響装置を示す図である。
【図２】本発明の実施形態における出力装置の機能的構成を示すブロック図である。
【図３】本発明の出力装置における光化学的記録媒体を示す図である。
【図４】本発明の履歴情報の例を示す図である。
【図５】本発明の実施形態におけるリモート操作装置の機能的構成を示すブロック図である。
【図６】本発明の第一の実施形態における出力装置により実行される履歴情報の送受信及びデジタルデータの再生のためのプログラムを示すフローチャート図である。
【図７】本発明の第一の実施形態における出力装置により実行される履歴情報の保存のためのプログラムを示すフローチャート図である。
【図８】本発明の第二の実施形態における出力装置により実行される履歴情報の送受信及びデジタルデータの再生のためのプログラムを示すフローチャート図である。
【図９】本発明の第三の実施形態における出力装置により実行される履歴情報の送受信及びデジタルデータの再生のためのプログラムを示すフローチャート図である。
【図１０】本発明の第四の実施形態における出力装置により実行される履歴情報の送受信及びデジタルデータの再生のためのプログラムを示すフローチャート図である。
【符号の説明】
【０１７１】
１、１００、２００、３００  出力装置
２  制御部
８  デジタルデータ生成・再生部
１４、５６、１１４、１５６、２１４、２５６、３１４、３５６  不揮発メモリ
１５、１１５、２１５、３１５  リモート操作装置
４８、１４８、２４８、３４８  送受信履歴情報部
【図１】
2006048826.tif 000003
【図２】
2006048826.tif 000004
【図３】
2006048826.tif 000005
【図４】
2006048826.tif 000006
【図５】
2006048826.tif 000007
【図６】
2006048826.tif 000008
【図７】
2006048826.tif 000009
【図８】
2006048826.tif 000010
【図９】
2006048826.tif 000011
【図１０】
2006048826.tif 000012